(57)【要約】【課題】ジェットファンの点検時において、ファン内部へ自然風が流入して羽根車が回転するのを防止するためのジェットファン用カバーを提供する。【解決手段】ジェットファン１０の点検時において、自然風の吸い込み口側を覆うように取り付けるジェットファン用カバーであって、ジェットファン１０の吸い込み口を覆う円形のカバー本体部１と、このカバー本体部１の周縁部に延設されていて、ジェットファン１０の吸い込み口側の端部外周を被覆する被覆片部２とからなるものとする。また、前記カバー本体部１の一部には、切込みが入れられて作業員の出入り用孔部６が形成されており、切込み片７が前記出入り用孔部６に対して開閉自在となっているものとすることができる。【選択図】図３
2018044440.tif 000002
【特許請求の範囲】
【請求項１】
ジェットファンの点検時において、自然風の吸い込み口側を覆うように取り付けるジェットファン用カバーであって、
ジェットファンの吸い込み口を覆う円形のカバー本体部と、
このカバー本体部の周縁部に延設されていて、ジェットファンの吸い込み口側の端部外周を被覆する被覆片部とからなることを特徴とするジェットファン用カバー。
【請求項２】
被覆片部は、紐体またはゴムバンドによりジェットファンの端部外周に固定される請求項１に記載のジェットファン用カバー。
【請求項３】
カバー本体部の一部には、切込みが入れられて作業員の出入り用孔部が形成されており、切込み片が前記出入り用孔部に対して開閉自在となっている請求項１または２に記載のジェットファン用カバー。
【請求項４】
出入り用孔部の周縁部と切込み片の周縁部に面ファスナーが取り付けられており、これらの面ファスナーの接離によって、前記切込み片が出入り用孔部に対し開閉自在となっている請求項３に記載のジェットファン用カバー。
【発明の詳細な説明】
【技術分野】
【０００１】
本発明は、ジェットファンの点検時において、ファン内部へ自然風が流入して羽根車が回転するのを防止するためのジェットファン用カバーに関する。
【背景技術】
【０００２】
例えば自動車用トンネルにおいては、排気ガスがトンネル内に蔓延するのを防止する目的や、事故等により発生した火災の煙の排出をする目的等からジェットファンと称されるトンネル換気設備が天井部に取り付けられている。このジェットファンは、基本的には筒状ケーシングと、この筒状ケーシングの軸方向中心に位置する中心軸に回転自在に軸支される羽根車からなるものであり、前記羽根車の回転によって空気を筒状ケーシングの先端から吐出し、トンネル内の空気の流れを一方向に揃える働きをする（例えば、特許文献１を参照）。
【０００３】
一方、前記ジェットファンは長期間使用していると、ゴミや埃等が付着して羽根車の回転を円滑に行うことができないという問題が生じたり、ジェットファンを固定するボルト等が緩んだり、筒状ケーシングに亀裂が発生したりする等の現象が現れて落下の危険があるため、定期的に保守点検を行っている。この保守点検は、天井部に取り付けてあるジェットファンに対し、作業員を作業台でリフトアップさせて近づけ、高所で点検作業を行っていた（例えば、特許文献２や特許文献３を参照）。
【０００４】
通常、前記ジェットファンの羽根車は自然風によって回転しているが、点検作業中に羽根車が回転していると非常に危険なため、回転を停止させる必要がある。そこで、自然風の吸い込み口側（風上側）にベニア板を立てたり、通気性のない合成樹脂シート（一般にブルーシートと称されている。）で吸い込み口を覆ったりして羽根車の回転を停止させていた。
しかしながら、四角状のベニア板では吸い込み口を完全に塞ぐことは難しく羽根車の回転を停止させることができないという問題や、ベニア板落下の危険リスクがあるという問題があった。また、四角状の合成樹脂シートの場合は、吸い込み口に装着するのが煩雑で長時間かかるという問題や、装着中に合成樹脂シートが羽根車に巻き込まれたうえ飛ばされて道路上に落下する危険性があるという問題があった。
【先行技術文献】
【特許文献】
【０００５】
【特許文献１】特開２００１−１２３９１号公報
【特許文献２】特開２０１５−１７５２７１号公報
【特許文献３】特開平１１−２２３９９号公報
【発明の概要】
【発明が解決しようとする課題】
【０００６】
本発明は上記のような従来の問題点を解決して、ジェットファンの点検時において、吸い込み口を短時間で簡単に、かつ完全に覆うことができ、これによってファン内部へ自然風が流入して羽根車が回転するのを確実に防止することができ、また落下の危険性や羽根車に巻き込まれる危険性もなく安全に装着作業を行うことができるジェットファン用カバーを提供することを目的とするものである。
【課題を解決するための手段】
【０００７】
上記課題を解決するためになされた本発明は、ジェットファンの点検時において、自然風の吸い込み口側を覆うように取り付けるジェットファン用カバーであって、
ジェットファンの吸い込み口を覆う円形のカバー本体部と、
このカバー本体部の周縁部に延設されていて、ジェットファンの吸い込み口側の端部外周を被覆する被覆片部とからなることを特徴とするものであり、これを請求項１に係る発明とする。
【０００８】
好ましい実施形態によれば、前記被覆片部は、紐体またはゴムバンドによりジェットファンの端部外周に固定されるものが好ましく、これを請求項２に係る発明とする。
【０００９】
また、その他の好ましい実施形態によれば、前記カバー本体部の一部には、切込みが入れられて作業員の出入り用孔部が形成されており、切込み片が前記出入り用孔部に対して開閉自在となっているものが好ましく、これを請求項３に係る発明とする。
【００１０】
また、その他の好ましい実施形態によれば、前記出入り用孔部の周縁部と切込み片の周縁部に面ファスナーが取り付けられていて、これらの面ファスナーの切離により、前記切込み片が出入り用孔部に対して開閉自在となっているものが好ましく、これを請求項４に係る発明とする。
【発明の効果】
【００１１】
請求項１に係る発明では、ジェットファンの吸い込み口を覆う円形のカバー本体部と、このカバー本体部の周縁部に延設されていて、ジェットファンの吸い込み口側の端部外周を被覆する被覆片部とからなるものとしたので、ジェットファンの吸い込み口を容易かつ確実に覆うことができ、吸い込み口からの自然風の流入をストップさせることができる。この結果、羽根車の回転が止まった状態となるので安全に点検作業を行うことができる。また、従来のベニア板のように落下の危険性もなく安全である。
【００１２】
請求項２に係る発明では、被覆片部は、紐体またはゴムバンドによりジェットファンの端部外周に固定されるものとしたので、カバーの取り付けを簡単かつ確実に行うことができる。また、従来の成樹脂シートでは羽根車に巻き込まれたうえ飛ばされて道路上に落下する危険性があったが、そのような問題もない。
【００１３】
請求項３に係る発明では、カバー本体部の一部には、切込みが入れられて作業員の出入り用孔部が形成されており、切込み片が前記出入り用孔部に対して開閉自在となっているものとしたので、カバーを外さなくても作業員は前記出入り用孔部からジェットファンの内部へ入ることが可能で、点検作業をスムーズに行うことができる。更に、前記出入り用孔部からファン内部を覗いて羽根車の回転が止まったか否かを簡単かつ確実に確認できるため安全性が高い。
【００１４】
また、請求項４に係る発明では、出入り用孔部の周縁部と切込み片の周縁部に面ファスナーが取り付けられていて、これらの面ファスナーの切離により、前記切込み片が出入り用孔部に対して開閉自在となっているものとしたので、前記出入り用孔部の開閉を簡単かつ確実に行うことができる。
【図面の簡単な説明】
【００１５】
【図１】点検作業を示す概略説明図である。
【図２】ジェットファンを示す正面図である。
【図３】本発明の実施の形態を示す斜視図である。
【図４】その他の実施の形態を示す斜視図である。
【図５】吸い込み口側を覆い、切込み片を閉じた状態を示す正面図である。
【図６】吸い込み口側を覆い、切込み片を開いた状態を示す正面図である。
【発明を実施するための形態】
【００１６】
以下に、図面を参照しつつ本発明の好ましい実施の形態を示す。
図１は、トンネル２０内に設置されているジェットファン１０の点検作業状態を示す概略説明図である。このジェットファン１０は、排気ガスがトンネル２０内に蔓延するのを防止する目的や、事故等により発生した火災の煙の排出をする目的等から天井部に取り付けられている。
【００１７】
前記ジェットファン１０は、図２に示されるように、筒状ケーシング１１と、この筒状ケーシング１１の軸方向中心に位置する中心軸１２に回転自在に軸支される羽根車１３（図示のものでは４枚）からなるものであり、前記羽根車１３の回転によって空気を筒状ケーシング１１の先端から吐出し、トンネル内の空気の流れを一定方向に揃える働きをしている。前記ジェットファン１０は、自然風の流入によって羽根車１３が回転し、先端から空気を吐出する構造となっているが、その他、モータ等の駆動源によって任意の方向へ強制的に回転する機構を備えたものでもよい。
【００１８】
前記ジェットファン１０は、長期間使用しているとゴミや埃等が付着して羽根車１３の回転を円滑に行うことができないという問題が生じる。また、ジェットファン１０を固定するボルト等が緩んだり、筒状ケーシングに亀裂が発生したりする等の現象が生じて落下の危険があるため、定期的に保守点検を行っている。この保守点検は、図１に示されるように、天井部に取り付けてあるジェットファン１０に対し、作業車２１で近づき作業員を作業台２２でリフトアップして点検作業を行っている。この点検作業は、ジェットファン本体の錆、腐食、破損等の有無を確認する構造検査を主体に行っている。一方、前記ジェットファン１０の羽根車１３は自然風によって回転しているが、点検作業中に羽根車１３が回転していると作業ができないため、回転を停止させる必要がある。
そこで、本発明者はジェットファン１０の点検時において、吸い込み口を短時間で簡単、かつ完全に覆うことができて、ファン内部へ自然風が流入するのを防止し、この結果、羽根車１３が回転するのを防止して安全に作業することができるようにするジェットファン用カバーの開発を行った。
【００１９】
以下に、本発明のジェットファン用カバーについて説明する。
図３に示されるように、本発明のジェットファン用カバーは、ジェットファン１０の点検時において、自然風の吸い込み口側を覆うように取り付けられるものであり、ジェットファン１０の吸い込み口を覆う円形のカバー本体部１と、このカバー本体部１の周縁部に延設されていて、ジェットファン１０の吸い込み口側の端部外周を被覆する被覆片部２とからなる。
前記カバー本体部１は、ジェットファン１０の外径に合わせて、例えばφ１０００〜２０００ｍｍの円形であり、被覆片部２は幅が１００〜５００ｍｍのリング形である。前記カバー本体部１と被覆片部２は一体的に成形されていてもよいし、別成形したものを縫製等により一体化したものでもよい。
【００２０】
前記カバー本体部１と被覆片部２は、通気性のない合成樹脂製シート（例えば、ブルーシートと称されるポリエチレンシートやポリエステルシートやターポリン等）や布製シート（例えば、綿帆布シート）からなるものであり、軽量性および柔軟性に優れていて取扱い性、搬送性、折り畳み性等に優れたものである。また、繰り返して使用することができ、経済性にも優れたものである。
【００２１】
前記被覆片部２には、適宜の間隔でハトメリング３が取り付けてあり、この中に紐体４（いわゆるロープ）が通されていて、紐体４を縛ることにより被覆片部２をジェットファン１０の端部外周に簡単に固定できる構造となっている。図示のものでは、この紐体４の左右２ヶ所には、コードロック４ａ、４ａが取り付けられており、より確実かつスムーズに絞ることが可能な構造となっている。更に、被覆片部２にカラビナ４ｂを取り付けておき、これを例えばジェットファンの吊り金具１４等に係止させれば、カバーの落下を防止することができ好ましい。
また、図４に示されるように、前記被覆片部２の外周をゴムバンド５により締結してジェットファン１０の端部外周に固定することもできる。
【００２２】
また、前記カバー本体部１の一部（図示のものでは、下半分の左側）には、切込みが入れられており作業員の出入り用孔部６が形成されている。また、切込み片７が前記出入り用孔部６に対して自在に開閉できる構造となっている。
これにより、作業員は出入り用孔部６を通じて簡単にジェットファン１０に出入りすることができ、しかもファン内部への自然風の流入を確実に防止することができる。更には、出入り用孔部６を覗くことでファン内部に作業員がいるか否かを確認できるため、作業の安全性を高めることもできる。
【００２３】
図示のものでは、出入り用孔部６の周縁部と切込み片７の周縁部に一対の面ファスナー８が取り付けられていて、これらの面ファスナー８の切離により、前記切込み片７が出入り用孔部６に対して開閉自在となっている。
図５は、切込み片７側の面ファスナー８を出入り用孔部６側の面ファスナー８に連結させて出入り用孔部６を閉じた状態を示している。一方、図６は、切込み片７側の面ファスナー８を出入り用孔部６側の面ファスナー８から離脱させて出入り用孔部６を開いた状態を示している。なお、前記面ファスナー８にかえて、ジッパーやボタン等を使用することもできる。
【００２４】
また、本発明のジェットファン用カバーは使用に供さない場合は、折り畳んで小さくできるため搬送・保管に便利である。
【００２５】
以上のように構成した本発明のジェットファン用カバーは、ジェットファンの点検時に現場に持ち込まれて、作業者により自然風の吸い込み口側を覆うように取り付けられ、使用に供される。この取り付け作業は短時間で簡単に行うことができ、また一人でも行うことができて便利である。取り付け後は、ファン内部へ自然風が流入して羽根車が回転するのを確実に防止することができるため、点検作業を安全に行うことができる。また、本発明のジェットファン用カバーは、従来のベニア板や合成樹脂シートのように、落下の危険性や羽根車に巻き込まれる危険性もなく安全に装着作業を行うことができることとなる。また、作業終了後は撤収作業も容易であり、折り畳んで小さくできるため搬送・保管に便利である。
【符号の説明】
【００２６】
１  カバー本体部
２  被覆片部
３  ハトメリング
４  紐体
４ａ  コードロック
４ｂ  カラビナ
５  ゴムバンド
６  出入り用孔部
７  切込み片
８  面ファスナー
１０  ジェットファン
１１  筒状ケーシング
１２  中心軸
１３  羽根車
１４  吊り金具
２０  トンネル
２１  作業車
２２  作業台
【図１】
2018044440.tif 000003
【図２】
2018044440.tif 000004
【図３】
2018044440.tif 000005
【図４】
2018044440.tif 000006
【図５】
2018044440.tif 000007
【図６】
2018044440.tif 000008